(57)【要約】【課題】半導体パッケージや回路基板の接続端子と接触する導電部材を固定するための弾性体を薄型化することが可能であり、接続端子に対して導電部材から過剰な力が加えられることがなく、耐熱性に優れ、安定した接続を可能とする電気コネクターおよびその製造方法を提供する。【解決手段】第一デバイスの接続端子と、第二デバイスの接続端子との間に配置され、これらを電気的に接続する電気コネクターであって、貫通孔２１を有する絶縁部材２０と、絶縁部材２０の表裏面から突出した状態で貫通孔２１に嵌合され、第一デバイスの接続端子と第二デバイスの接続端子とを電気的に接続する導電部材３０と、を備え、絶縁部材２０は、弾性体４０と、弾性体４０の少なくとも一方の主面４０ａに積層された樹脂製のシート状部材５０とからなり、貫通孔２１は、絶縁部材２０を、厚み方向に対して斜めに貫通する電気コネクター１０。【選択図】図１
2018147632.tif 000002
【特許請求の範囲】
【請求項１】
第一デバイスの接続端子と、第二デバイスの接続端子との間に配置され、これらを電気的に接続する電気コネクターであって、
貫通孔を有する絶縁部材と、前記絶縁部材の表裏面から突出した状態で前記貫通孔に嵌合され、前記第一デバイスの接続端子と前記第二デバイスの接続端子とを電気的に接続する導電部材と、を備え、
前記絶縁部材は、弾性体と、前記弾性体の少なくとも一方の主面に積層された樹脂製のシート状部材とからなり、
前記貫通孔は、前記絶縁部材を、厚み方向に対して斜めに貫通することを特徴とする電気コネクター。
【請求項２】
前記シート状部材は、耐熱性樹脂からなることを特徴とする請求項１に記載の電気コネクター。
【請求項３】
前記シート状部材は、厚み方向に形成された切欠きを有することを特徴とする請求項１または２に記載の電気コネクター。
【請求項４】
前記弾性体は、厚み方向に形成された切込みまたは切欠きを有することを特徴とする請求項１〜３のいずれか１項に記載の電気コネクター。
【請求項５】
弾性体の少なくとも一方の主面に樹脂製のシート状部材を積層し、前記弾性体と前記樹脂製のシート状部材とからなる絶縁部材を形成する工程と、
前記絶縁部材に、厚み方向に対して斜めに貫通する貫通孔を形成する工程と、
前記絶縁部材の表裏面から一部が突出するように、前記貫通孔に導電部材を嵌合する工程と、を有することを特徴とする電気コネクターの製造方法。
【請求項６】
前記貫通孔を形成する工程と前記導電部材を嵌合する工程との間に、前記シート状部材の厚み方向に切欠きを形成する工程を有することを特徴とする請求項５に記載の電気コネクターの製造方法。
【請求項７】
前記貫通孔を形成する工程と前記導電部材を嵌合する工程との間に、前記弾性体の厚み方向に切込みまたは切欠きを形成する工程を有することを特徴とする請求項５または６に記載の電気コネクターの製造方法。
【発明の詳細な説明】
【技術分野】
【０００１】
本発明は、電気コネクターおよびその製造方法に関する。
【背景技術】
【０００２】
表面実装型の半導体パッケージと回路基板の検査を行う場合、または表面実装型の半導体パッケージと回路基板を接続する場合には、圧接型のコネクターが用いられている。
このようなコネクターとしては、例えば、複数の導電線の向きを揃えて互いに絶縁を保って配線された複数のシートが、導電線の向きを一定にして積層され、得られた積層物の複数枚が、導電線の向きを揃えて、一定の角度で階段状に配列積層一体化してブロック体とされ、得られたブロック体がスライス用基板面に接着され、その基板面に平行にかつ導電線を横切る平行な２面で切断されてなる圧接型コネクター（例えば、特許文献１参照）が知られている。また、貫通孔を有する絶縁部材と、絶縁部材の表裏面の少なくとも一方の面から突出した状態で貫通孔に嵌合し、第一デバイスの接続端子と第二デバイスの接続端子とを電気的に接続する導電部材と、を備え、導電部材は、絶縁性を有する弾性体と、金属線とを備えており、弾性体の高さ方向に、金属線が貫通するように埋設され、導電部材を貫通孔に嵌合した状態では、導電部材と貫通孔との間の少なくとも一部に隙間を備えている電気コネクター（例えば、特許文献２参照）が知られている。
【先行技術文献】
【特許文献】
【０００３】
【特許文献１】特許第２７８７０３２号公報
【特許文献２】特許第５９９５７４０号公報
【発明の概要】
【発明が解決しようとする課題】
【０００４】
特許文献１に記載されている圧接型コネクターは、導電線を挿入するための樹脂層を形成するシリコーンゴムが露出している。そのため、検査を繰り返し行うと、シリコーンゴムが摩耗して、検査結果がばらつくことがあった。また、この圧接型コネクターは、導電線と、半導体パッケージや回路基板の接続端子とがランダムに接続するため、接続が不安定である上に、接続に寄与しない導電線によるインダクタンスが発生したり、荷重が増加したりすることがあった。さらに、シリコーンゴムは引き裂き強度が低いため、薄型化が難しい上に、耐熱性が低いという課題があった。
また、特許文献２に記載されている電気コネクターは、金属線が弾性体に対して垂直に配置されているため、半導体パッケージや回路基板の接続端子に対して、金属線から過剰な力が加えられて、接続端子が損傷することがあった。
【０００５】
本発明は、上記事情に鑑みてなされたものであって、半導体パッケージや回路基板の接続端子と接触する導電部材を固定するための弾性体を薄型化することが可能であり、接続端子に対して導電部材から過剰な力が加えられることがなく、耐熱性に優れ、安定した接続を可能とする電気コネクターおよびその製造方法を提供することを目的とする。
【課題を解決するための手段】
【０００６】
［１］第一デバイスの接続端子と、第二デバイスの接続端子との間に配置され、これらを電気的に接続する電気コネクターであって、貫通孔を有する絶縁部材と、前記絶縁部材の表裏面から突出した状態で前記貫通孔に嵌合され、前記第一デバイスの接続端子と前記第二デバイスの接続端子とを電気的に接続する導電部材と、を備え、前記絶縁部材は、弾性体と、前記弾性体の少なくとも一方の主面に積層された樹脂製のシート状部材とからなり、前記貫通孔は、前記絶縁部材を、厚み方向に対して斜めに貫通する電気コネクター。
［２］前記シート状部材は、耐熱性樹脂からなる［１］に記載の電気コネクター。
［３］前記シート状部材は、厚み方向に形成された切欠きを有する［１］または［２］に記載の電気コネクター。
［４］前記弾性体は、厚み方向に形成された切込みまたは切欠きを有する［１］〜［３］のいずれかに記載の電気コネクター。
［５］弾性体の少なくとも一方の主面に樹脂製のシート状部材を積層し、前記弾性体と前記樹脂製のシート状部材とからなる絶縁部材を形成する工程と、前記絶縁部材に、厚み方向に対して斜めに貫通する貫通孔を形成する工程と、前記絶縁部材の表裏面から一部が突出するように、前記貫通孔に導電部材を嵌合する工程と、を有する電気コネクターの製造方法。
［６］前記貫通孔を形成する工程と前記導電部材を嵌合する工程との間に、前記シート状部材の厚み方向に切欠きを形成する工程を有する［５］に記載の電気コネクターの製造方法。
［７］前記貫通孔を形成する工程と前記導電部材を嵌合する工程との間に、前記弾性体の厚み方向に切込みまたは切欠きを形成する工程を有する［５］または［６］に記載の電気コネクターの製造方法。
【発明の効果】
【０００７】
本発明によれば、半導体パッケージや回路基板の接続端子と接触する導電部材を固定するための弾性体を薄型化することが可能であり、接続端子に対して導電部材から過剰な力が加えられることがなく、耐熱性に優れ、安定した接続を可能とする電気コネクターおよびその製造方法を提供することができる。
【図面の簡単な説明】
【０００８】
【図１】第１の実施形態の電気コネクターの概略構成を示す断面図である。
【図２】第１の実施形態の電気コネクターの製造方法の概略を示す断面図である。
【図３】第１の実施形態の電気コネクターの概略構成を示す図であり、（ａ）は平面図、（ｂ）は（ａ）のＡ−Ａ線に沿う断面図、（ｃ）は（ａ）のＢ−Ｂ線に沿う断面図である。
【図４】第２の実施形態の電気コネクターの製造方法の概略を示す断面図である。
【図５】第３の実施形態の電気コネクターの概略構成を示す断面図である。
【図６】第３の実施形態の電気コネクターの製造方法の概略を示す断面図である。
【発明を実施するための形態】
【０００９】
本発明の電気コネクターおよびその製造方法の実施の形態について説明する。
なお、本実施の形態は、発明の趣旨をより良く理解させるために具体的に説明するものであり、特に指定のない限り、本発明を限定するものではない。
【００１０】
（第１の実施形態）
［電気コネクター］
図１は、本実施形態の電気コネクターの概略構成を示す断面図である。
図１に示すように、本実施形態の電気コネクター１０は、絶縁部材２０と、導電部材３０と、を備える。
電気コネクター１０は、図示略の第一デバイスの接続端子と、図示略の第二デバイスの接続端子との間に配置され、これらを電気的に接続するためのものである。デバイスとしては、例えば、半導体パッケージや回路基板が挙げられる。
【００１１】
絶縁部材２０は、弾性体４０と、弾性体４０の一方の主面（図１において上面）４０ａに積層された樹脂製のシート状部材５０とからなる積層体である。
絶縁部材２０は、その厚み方向に貫通する貫通孔２１を有する。すなわち、貫通孔２１は、弾性体４０とシート状部材５０を、その厚み方向に貫通する。また、貫通孔２１は、絶縁部材２０を、その厚み方向に対して斜めに貫通する。さらに、絶縁部材２０の貫通孔２１は、弾性体４０をその厚み方向に対して斜めに貫通する貫通孔４１と、シート状部材５０をその厚み方向に対して斜めに貫通する貫通孔５１とからなる。
【００１２】
貫通孔２１の絶縁部材２０の厚み方向に対する角度、すなわち、弾性体４０の一方の主面４０ａに垂直な線と貫通孔２１が交わる角度（図１に示す角度θ１）は、１０°〜８５°であることが好ましい。貫通孔２１の絶縁部材２０の厚み方向に対する角度は、電気コネクター１０（詳細には、貫通孔２１に嵌合された導電部材３０）によって電気的に接続される２つのデバイスの接続端子の配置等に応じて適宜調整される。
【００１３】
絶縁部材２０において、貫通孔２１を設ける位置、すなわち、絶縁部材２０における貫通孔２１の配置は、特に限定されず、電気コネクター１０（詳細には、貫通孔２１に嵌合された導電部材３０）によって電気的に接続される２つのデバイスの接続端子の配置等に応じて適宜調整される。
【００１４】
貫通孔２１の形状、すなわち、貫通孔２１の長手方向と垂直な断面の形状は、特に限定されず、貫通孔２１に嵌合する導電部材３０の長手方向の断面の形状において適宜調整される。貫通孔２１の形状としては、例えば、円形、楕円形、三角形、正方形、長方形、五角形以上の多角形等が挙げられる。
【００１５】
貫通孔２１の孔径は、特に限定されず、貫通孔２１に嵌合される導電部材３０の直径（外径）に応じて適宜調整される。貫通孔２１の孔径は、例えば、０．０５ｍｍ〜０．３ｍｍであることが好ましい。
【００１６】
また、貫通孔２１の孔径は、絶縁部材２０の表面（弾性体４０の一方の主面４０ａ側の面）２０ａの孔径よりも、絶縁部材２０の裏面（弾性体４０の他方の主面４０ｂ側の面）２０ｂの孔径を小さくすることが好ましい。これにより、貫通孔２１に嵌合された導電部材３０は、少なくとも絶縁部材２０の裏面２０ｂ側において、貫通孔２１に強固に嵌合するため、導電部材３０が、絶縁部材２０の裏面２０ｂ側から脱落することを防止できる。
【００１７】
絶縁部材２０、弾性体４０およびシート状部材５０の厚みは、特に限定されず、貫通孔２１に嵌合された導電部材３０に要求される弾性に応じて適宜調整される。絶縁部材２０の厚みは、例えば、０．０５ｍｍ〜２．０ｍｍであることが好ましい。弾性体４０の厚みは、例えば、０．０３ｍｍ〜１．０ｍｍであることが好ましい。シート状部材５０の厚みは、例えば、０．０１ｍｍ〜１．０ｍｍであることが好ましい。
【００１８】
本実施形態の電気コネクター１０において、導電部材３０に要求される弾性とは、電気コネクター１０を、図示略の第一デバイスの接続端子と、図示略の第二デバイスの接続端子との間に配置した場合に、導電部材３０の両端（一方の端部３０ａ、他方の端部３０ｂ）と、２つのデバイスの接続端子とが電気的に接続した状態を保つために、それぞれの接続端子に対する導電部材３０の両端の押圧力が十分に得られるとともに、その押圧力によって、接続端子が損傷しない程度のものである。
【００１９】
導電部材３０は、絶縁部材２０の貫通孔２１に嵌合されている。導電部材３０は、貫通孔２１に嵌合された状態で、その一方の端部３０ａが絶縁部材２０の表面（弾性体４０の一方の主面４０ａ側の面）２０ａから突出し、その他方の端部３０ｂが絶縁部材２０の裏面（弾性体４０の他方の主面４０ｂ側の面）２０ｂから突出している。これにより、導電部材３０は、絶縁部材２０を、その厚み方向に対して斜めに貫通するように配置されている。
【００２０】
導電部材３０の一方の端部３０ａおよび他方の端部３０ｂの絶縁部材２０からの突出量は、特に限定されず、電気コネクター１０によって電気的に接続する２つのデバイスの接続端子の形状、配置等に応じて適宜調整される。
【００２１】
導電部材３０としては、２つのデバイスの接続端子同士を電気的に接続することができるものであれば特に限定されない。導電部材３０としては、例えば、金、銀、銅、鉄、ニッケル、コバルト、チタン、ベリリウム、亜鉛、アルミニウム等の金属もしくはこれらの合金、およびこれらの複合体からなる金属線、中空体（筒状の金属線）、板状の部材等が挙げられる。電気コネクター１０を高周波電流用途のデバイス同士の接続に用いる場合、導電部材３０は、表面積が大きい中空体であることが好ましい。高周波電流は、デバイスの表層を流れるため、導電部材３０の表面積が大きいことが好ましいからである。
【００２２】
弾性体４０の材質としては、弾性体４０とした場合に弾性を有するものであれば特に限定されないが、例えば、アクリロニトリル−ブタジエンゴム、シリコーンゴム、クロロプレンゴム、エチレン−クロロプレンゴム、エチレン−プロピレン−ジエンゴム、スチレン−ブタジエンゴム、フッ素ゴム、ブタジエンゴム、イソプレンゴム、ウレタンゴム等の合成ゴム等が挙げられる。これらの中でも、高弾性で耐熱性に優れる点から、シリコーンゴムが好ましい。
【００２３】
シート状部材５０の材質としては、シート状部材５０とした場合に耐熱性および寸法安定性を有するものであれば特に限定されないが、例えば、ポリイミド（ＰＩ）、エポキシ樹脂、ポリエチレンテレフタレート（ＰＥＴ）、ポリブチレンテレフタレート（ＰＢＴ）、ポリ塩化ビニル、ポリスチレン、ポリアクリロニトリル、ポリエチレン、ポリプロピレン、アクリル、ポリブタジエン、ポリフェニレンエーテル（ＰＰＥ）、ポリフェニレンサルファイド（ＰＰＳ）、ポリエーテルエーテルケトン（ＰＥＥＫ）、液晶ポリマー（ＬＣＰ）、ポリアミドイミド（ＰＡＩ）、ポリエーテルイミド（ＰＥＩ）、ポリエーテルサルフォン（ＰＥＳ）等が挙げられる。これらの中でも、耐熱性および寸法安定性に優れる点から、ポリイミド（ＰＩ）、ポリフェニレンサルファイド（ＰＰＳ）、ポリエーテルエーテルケトン（ＰＥＥＫ）、液晶ポリマー（ＬＣＰ）が好ましい。
なお、シート状部材５０としては、これらの樹脂からなる不織布であってもよい。
【００２４】
本実施形態の電気コネクター１０によれば、絶縁部材２０が、弾性体４０と、弾性体４０の一方の主面４０ａに積層された樹脂製のシート状部材５０とからなるから、絶縁部材２０の厚みを薄くしても、絶縁部材２０によって強固に導電部材３０を保持することができる。これにより、絶縁部材２０に貫通するように配置されている導電部材３０の長さを短くすることができる。その結果、電気コネクター１０を高周波電流用途のデバイス同士の接続に好適に用いることができる。また、絶縁部材２０によって保持された導電部材３０は適度な弾性を有するため、接続端子に対して導電部材３０から過剰な力が加えられることがなく、接続端子が損傷することを防止できる。また、絶縁部材２０は、弾性体４０とシート状部材５０から構成されるため、弾性体のみから構成されるものよりも、耐熱性や寸法安定性に優れ、デバイス同士を安定に接続することができる。
【００２５】
なお、本実施形態では、絶縁部材２０が、弾性体４０と、その一方の主面４０ａに積層されたシート状部材５０とかなる場合を例示したが、本実施形態はこれに限定されない。本実施形態にあっては、絶縁部材２０が、弾性体４０と、その一方の主面４０ａに積層されたシート状部材５０と、その他方の主面４０ｂに積層されたシート状部材とから構成されていてもよい。この場合、弾性体４０の他方の主面４０ｂに積層するシート状部材は、弾性体４０の一方の主面４０ａに積層するシート状部材と同様のものが用いられる。弾性部材４０の一方の主面４０ａおよび他方の主面４０ｂにシート状部材を積層することにより、絶縁部材２０の表面２０ａと裏面２０ｂにおける耐熱性や寸法安定性が同一となる。その結果、絶縁部材２０はより耐熱性や寸法安定性に優れたものとなる。
【００２６】
［電気コネクターの製造方法］
本実施形態の電気コネクターの製造方法は、弾性体の少なくとも一方の主面に樹脂製のシート状部材を積層し、弾性体と樹脂製のシート状部材とからなる絶縁部材を形成する工程（以下、「工程Ａ」と言う。）と、絶縁部材に、レーザー加工または切削加工により、厚み方向に対して斜めに貫通する貫通孔を形成する工程（以下、「工程Ｂ」と言う。）と、絶縁部材の表裏面から一部が突出するように、貫通孔に導電部材を嵌合する工程（以下、「工程Ｃ」と言う。）と、を有する。
【００２７】
以下、図２（ａ）〜図２（ｄ）を参照して、本実施形態の電気コネクターの製造方法を説明する。
図２（ａ）〜図２（ｄ）は、本実施形態の電気コネクターの製造方法の概略を示す断面図である。
図２（ａ）に示すように、弾性体４０を用意する。
弾性体４０としては、上述のものが用いられる。
【００２８】
次いで、図２（ｂ）に示すように、弾性部材４０の一方の主面４０ａに、樹脂製のシート状部材５０を積層し、弾性体４０とシート状部材５０とからなる絶縁部材２０を形成する（工程Ａ）。
この工程Ａでは、弾性部材４０の一方の主面４０ａに、接着材を介して、シート状部材５０を接着してもよいし、弾性部材４０の一方の主面４０ａに、シート状部材５０を熱溶着してもよい。あるいは、弾性部材４０とシート状部材５０を一体成形して、弾性部材４０とシート状部材５０からなる積層体を成形してもよい。
シート状部材５０としては、上述のものが用いられる。
【００２９】
次いで、図２（ｃ）に示すように、工程Ａで得られた絶縁部材２０に、レーザー加工または切削加工により、絶縁部材２０の厚み方向に対して斜めに貫通する貫通孔２１を形成する（工程Ｂ）。
工程Ｂにおいて、貫通孔２１の絶縁部材２０の厚み方向に対する角度（図２（ｃ）に示す角度θ１）を、１０°〜８５°とすることが好ましい。
また、工程Ｂにおいて、レーザー加工を行う場合、絶縁部材２０に照射するレーザー光の強度は、特に限定されず、絶縁部材２０の材質や厚み、貫通孔２１の形状や孔径等に応じて適宜調整される。また、レーザー加工によれば、孔径が小さい貫通孔２１を形成することができる。一方、切削加工によれば、貫通孔２１を形成する時間が短い上に、発熱しないため、加工における寸法安定性に優れる。
【００３０】
次いで、図２（ｄ）に示すように、絶縁部材２０の表面２０ａおよび裏面２０ｂから、その一方の端部３０ａが絶縁部材２０の表面２０ａから突出し、その他方の端部３０ｂが絶縁部材２０の裏面２０ｂから突出するように、貫通孔２１に導電部材３０を嵌合する（工程Ｃ）。
工程Ｃにおいて、貫通孔２１に導電部材３０を嵌合する際に、冶具が用いられる。
【００３１】
以上の工程Ａ〜工程Ｃにより、図１に示す電気コネクター１０が得られる。
【００３２】
本実施形態の電気コネクターの製造方法によれば、工程Ｂにて、弾性体４０と弾性体４０の一方の主面４０ａに積層されたシート状部材５０とからなる絶縁部材２０に、レーザー加工により、絶縁部材２０の厚み方向に対して斜めに貫通する貫通孔２１を形成する場合、レーザー加工時にビームローテーターを用いる貫通孔２１の貫通方向の孔径を調整し、順テーパー孔、ストレート孔、くびれ孔等に形成することができる。すなわち、導電部材３０を容易に固定できるため、得られた電気コネクター１０は、導電部材３０による２つのデバイスの接続を安定に行うことができる。
【００３３】
なお、本実施形態では、工程Ａにて、弾性部材４０の一方の主面４０ａに、シート状部材５０を積層して絶縁部材２０を形成する場合を例示したが、本実施形態はこれに限定されない。本実施形態にあっては、弾性部材４０の一方の主面４０ａおよび他方の主面４０ｂにそれぞれ、シート状部材５０を積層して絶縁部材２０を形成してもよい。
【００３４】
（第２の実施形態）
［電気コネクター］
図３は、本実施形態の電気コネクターの概略構成を示す図であり、（ａ）は平面図、（ｂ）は（ａ）のＡ−Ａ線に沿う断面図、（ｃ）は（ａ）のＢ−Ｂ線に沿う断面図である。なお、図３において、図１に示した第１の実施形態における電気コネクターと同一の構成には同一の符号を付し、重複する説明を省略する。
図３に示すように、本実施形態の電気コネクター１００は、絶縁部材２０と、導電部材３０と、を備える。
【００３５】
本実施形態の電気コネクター１００では、絶縁部材２０を構成するシート状部材５０が、貫通孔２１の周辺領域５３とその他の領域（貫通孔２１が設けられていない領域）との間に、シート状部材５０の厚み方向に形成された切欠き５５を有する。ここで、シート状部材５０における貫通孔２１の周辺領域５３とは、貫通孔２１に嵌合された導電部材３０を、シート状部材５０によって十分に固定するために、シート状部材５０に求められる固定力を発揮することができる大きさ（面積）を有する領域のことである。また、周辺領域５３とは、貫通孔２１に導電部材３０を嵌合した状態で、上述の導電部材３０に要求される弾性が得られる領域のことである。周辺領域５３の大きさは、導電部材３０の直径や材質、シート状部材５０の厚みや材質等に応じて適宜調整される。また、周辺領域５３を平面視した場合の形状は、特に限定されず、例えば、円形、楕円形、三角形、正方形、長方形等が挙げられる。
【００３６】
切欠き５５のシート状部材５０の厚み方向に対する角度、すなわち、シート状部材５０の一方の主面５０ａに垂直な線と切欠き５５が交わる角度は、特に限定されないが、貫通孔２１の絶縁部材２０の厚み方向に対する角度と等しいことが好ましい。すなわち、切欠き５５のシート状部材５０の厚み方向に対する角度（図３に示す角度θ２）は、１０°〜８５°であることが好ましい。「貫通孔２１の絶縁部材２０の厚み方向に対する角度θ１」＝「切欠き５５のシート状部材５０の厚み方向に対する角度θ２」である場合、後述する工程Ｂと工程Ｄを同一の工程で行うことができるため、工程の削減や位置ずれの発生を抑制することができる。切欠き５５のシート状部材５０の厚み方向に対する角度は、電気コネクター１００によって電気的に接続される２つのデバイスの接続端子の配置等に応じて適宜調整される。
【００３７】
切欠き５５の形状は、平面視でループ状の他、コの字状等舌片状であってもよい。切欠き５５の形状がこれらの形状をなすことにより、予め切欠き５５を形成したシート状部材５０を用いることで、工程Ｄを削除することができ、切欠き５５の深さを調整する必要がなくなる。また、そのような電気コネクター１００を使用すると、弾性体４０に過度な負荷をかけずに低荷重で変形する。そのため、デバイスに対する電気コネクター１００の位置の調整を可能とするとともに、電気コネクター１００の耐久性が向上する。
【００３８】
切欠き５５の幅、すなわち、周辺領域５３とその他の領域の間隔は、特に限定されず、電気コネクター１００によって電気的に接続される２つのデバイスの接続端子の配置等に応じて適宜調整される。
【００３９】
切欠き５５の深さ、すなわち、シート状部材５０の一方の主面５０ａから他方の主面５０ｂに向かう長さは、特に限定されず、電気コネクター１００によって電気的に接続される２つのデバイスの接続端子の配置等に応じて適宜調整される。図３では、切欠き５５がシート状部材５０の厚み方向に貫通している場合を例示したが、本実施形態はこれに限定されない。
【００４０】
本実施形態の電気コネクター１００によれば、絶縁部材２０を構成するシート状部材５０が、貫通孔２１の周辺領域５３とその他の領域との間に、シート状部材５０の厚み方向に形成された切欠き５５を有するため、デバイスの形状に応じて変形することができる。その結果、電気コネクター１００は２つのデバイス同士を低荷重で安定に接続することができる。
【００４１】
なお、本実施形態では、絶縁部材２０が、弾性体４０と、その一方の主面４０ａに積層されたシート状部材５０とからなる場合を例示したが、本実施形態はこれに限定されない。本実施形態にあっては、絶縁部材２０が、弾性体４０と、その一方の主面４０ａに積層されたシート状部材５０と、その他方の主面４０ｂに積層されたシート状部材とから構成されていてもよい。この場合、弾性体４０の他方の主面４０ｂに積層されたシート状部材にも、上記の切欠きが形成されていることが好ましい。
【００４２】
［電気コネクターの製造方法］
本実施形態の電気コネクターの製造方法は、弾性体の少なくとも一方の主面に樹脂製のシート状部材を積層し、弾性体と樹脂製のシート状部材とからなる絶縁部材を形成する工程（以下、「工程Ａ」と言う。）と、絶縁部材に、レーザー加工または切削加工により、厚み方向に対して斜めに貫通する貫通孔を形成する工程（以下、「工程Ｂ」と言う。）と、シート状部材の厚み方向に切欠きを形成する工程（以下、「工程Ｄ」と言う。）と、絶縁部材の表裏面から一部が突出するように、貫通孔に導電部材を嵌合する工程（以下、「工程Ｃ」と言う。）と、を有する。
【００４３】
以下、図４（ａ）〜図４（ｅ）を参照して、本実施形態の電気コネクターの製造方法を説明する。
図４（ａ）〜図４（ｅ）は、本実施形態の電気コネクターの製造方法の概略を示す断面図である。なお、図４（ａ）〜図４（ｅ）において、図２（ａ）〜図２（ｄ）に示した第１の実施形態における電気コネクターの製造方法と同一の構成には同一の符号を付し、重複する説明を省略する。
図４（ａ）に示すように、弾性体４０を用意する。
【００４４】
次いで、図４（ｂ）に示すように、弾性部材４０の一方の主面４０ａに、樹脂製のシート状部材５０を積層し、弾性体４０とシート状部材５０とからなる絶縁部材２０を形成する（工程Ａ）。
【００４５】
次いで、図４（ｃ）に示すように、工程Ａで得られた絶縁部材２０に、レーザー加工または切削加工により、絶縁部材２０の厚み方向に対して斜めに貫通する貫通孔２１を形成する（工程Ｂ）。
【００４６】
次いで、図４（ｄ）に示すように、レーザー加工、切削加工等により、シート状部材５０の厚み方向に切欠き５５を形成する（工程Ｄ）。
工程Ｄにおいて、切欠き５５のシート状部材５０の厚み方向に対する角度（図４（ｄ）に示す角度θ２）は、特に限定されないが、貫通孔２１の絶縁部材２０の厚み方向に対する角度と等しくすることが好ましい。また、切欠き５５の深さは、特に限定されず、電気コネクター１００によって電気的に接続される２つのデバイスの接続端子の配置等に応じて適宜調整される。
また、工程Ｄにおいて、レーザー加工を行う場合、シート状部材５０に照射するレーザー光の強度は、特に限定されず、シート状部材５０の材質や厚み、切欠き５５の形状、孔径、深さ等に応じて適宜調整される。また、レーザー加工によれば、幅が小さい切欠き５５を形成することができる。一方、切削加工によれば、切欠き５５を形成する時間が短い上に、発熱しないため、加工における寸法安定性に優れる。
【００４７】
次いで、図４（ｅ）に示すように、絶縁部材２０の表面２０ａおよび裏面２０ｂから、その一方の端部３０ａが絶縁部材２０の表面２０ａから突出し、その他方の端部３０ｂが絶縁部材２０の裏面２０ｂから突出するように、貫通孔２１に導電部材３０を嵌合する（工程Ｃ）。
【００４８】
以上の工程Ａ〜工程Ｄにより、図３に示す電気コネクター１００が得られる。
【００４９】
本実施形態の電気コネクターの製造方法によれば、工程Ｄにて、シート状部材５０の厚み方向に切欠き５５を形成するため、デバイスの形状に応じて変形することが可能な電気コネクター１００を作製することができる。
【００５０】
なお、本実施形態では、工程Ａにて、弾性部材４０の一方の主面４０ａに、シート状部材５０を積層して絶縁部材２０を形成する場合を例示したが、本実施形態はこれに限定されない。本実施形態にあっては、弾性部材４０の一方の主面４０ａおよび他方の主面４０ｂにそれぞれ、シート状部材５０を積層して絶縁部材２０を形成してもよい。この場合、弾性体４０の他方の主面４０ｂに積層されたシート状部材にも、上記の切欠きを形成することが好ましい。
【００５１】
（第３の実施形態）
［電気コネクター］
図５は、本実施形態の電気コネクターの概略構成を示す断面図である。なお、図５において、図１に示した第１の実施形態における電気コネクターと同一の構成には同一の符号を付し、重複する説明を省略する。
図５に示すように、本実施形態の電気コネクター２００は、絶縁部材２０と、導電部材３０と、を備える。
【００５２】
本実施形態の電気コネクター２００では、絶縁部材２０を構成する弾性体４０が、厚み方向に形成された切込み４５を有する。切込み４５を形成する位置は、特に限定されず、電気コネクター１０によって電気的に接続される２つのデバイスの接続端子の配置等に応じて適宜調整される。
【００５３】
切込み４５の弾性体４０の厚み方向に対する角度、すなわち、弾性体４０の一方の主面４０ａに垂直な線と切込み４５が交わる角度は、特に限定されないが、貫通孔２１の絶縁部材２０の厚み方向に対する角度と等しいことが好ましい。すなわち、切込み４５の弾性体４０の厚み方向に対する角度（図５に示す角度θ３）は、１０°〜８５°であることが好ましい。切込み４５の弾性体４０の厚み方向に対する角度は、電気コネクター２００によって電気的に接続される２つのデバイスの接続端子の配置等に応じて適宜調整される。
【００５４】
切込み４５の深さ、すなわち、弾性体４０の一方の主面４０ａから他方の主面４０ｂに向かう長さは、特に限定されず、電気コネクター２００によって電気的に接続される２つのデバイスの接続端子の配置等に応じて適宜調整される。
【００５５】
本実施形態の電気コネクター２００では、上記の切込み４５の替わりに、弾性体４０に、上述の第２の実施形態の電気コネクター１００における切欠き５５と同様の形状の切欠きを形成してもよい。切込み４５や切欠きを設けることにより、弾性体４０の熱膨張の変化を抑制することができる。
【００５６】
本実施形態の電気コネクター２００によれば、絶縁部材２０を構成する弾性体４０が、厚み方向に形成された切込み４５を有するため、デバイスの形状に応じて変形することができる。その結果、電気コネクター２００は２つのデバイス同士を低荷重で安定に接続することができる。
【００５７】
なお、本実施形態では、絶縁部材２０が、弾性体４０と、その一方の主面４０ａに積層されたシート状部材５０とかなる場合を例示したが、本実施形態はこれに限定されない。本実施形態にあっては、絶縁部材２０が、弾性体４０と、その一方の主面４０ａに積層されたシート状部材５０と、その他方の主面４０ｂに積層されたシート状部材とから構成されていてもよい。
【００５８】
［電気コネクターの製造方法］
本実施形態の電気コネクターの製造方法は、弾性体の少なくとも一方の主面に樹脂製のシート状部材を積層し、弾性体と樹脂製のシート状部材とからなる絶縁部材を形成する工程（以下、「工程Ａ」と言う。）と、絶縁部材に、レーザー加工または切削加工により、厚み方向に対して斜めに貫通する貫通孔を形成する工程（以下、「工程Ｂ」と言う。）と、弾性体の厚み方向に切込みまたは切欠きを形成する工程（以下、「工程Ｅ」と言う。）と、絶縁部材の表裏面から一部が突出するように、貫通孔に導電部材を嵌合する工程（以下、「工程Ｃ」と言う。）と、を有する。
【００５９】
以下、図６（ａ）〜図６（ｅ）を参照して、本実施形態の電気コネクターの製造方法を説明する。
図６（ａ）〜図６（ｅ）は、本実施形態の電気コネクターの製造方法の概略を示す断面図である。なお、図６（ａ）〜図６（ｅ）において、図２（ａ）〜図２（ｄ）に示した第１の実施形態における電気コネクターの製造方法と同一の構成には同一の符号を付し、重複する説明を省略する。
図６（ａ）に示すように、弾性体４０を用意する。
【００６０】
次いで、図６（ｂ）に示すように、弾性部材４０の一方の主面４０ａに、樹脂製のシート状部材５０を積層し、弾性体４０とシート状部材５０とからなる絶縁部材２０を形成する（工程Ａ）。
【００６１】
次いで、図６（ｃ）に示すように、工程Ａで得られた絶縁部材２０に、レーザー加工または切削加工により、絶縁部材２０の厚み方向に対して斜めに貫通する貫通孔２１を形成する（工程Ｂ）。
【００６２】
次いで、図６（ｄ）に示すように、レーザー加工、切削加工、ナイフ等の刃物による加工等により、弾性体４０の厚み方向に切込み４５を形成する（工程Ｅ）。
工程Ｅにおいて、切込み４５の弾性体４０の厚み方向に対する角度（図６（ｄ）に示す角度θ３）は、特に限定されないが、貫通孔２１の絶縁部材２０の厚み方向に対する角度と等しくすることが好ましい。また、切込み４５の深さは、特に限定されず、電気コネクター２００によって電気的に接続される２つのデバイスの接続端子の配置等に応じて適宜調整される。
また、工程Ｅにおいて、レーザー加工を行う場合、弾性体４０に照射するレーザー光の強度は、特に限定されず、弾性体４０の材質や厚み、切込み４５の深さ等に応じて適宜調整される。また、レーザー加工によれば、小さい切込み４５を形成することができる。一方、切削加工や刃物による加工によれば、切込み４５を形成する時間が短い上に、発熱しないため、加工における寸法安定性に優れる。
【００６３】
また、工程Ｅにおいて、上記の切込み４５を形成する替わりに、弾性体４０に、上述の第２の実施形態の電気コネクター１００における切欠き５５と同様の形状の切欠きを形成してもよい。
【００６４】
次いで、図６（ｅ）に示すように、絶縁部材２０の表面２０ａおよび裏面２０ｂから、その一方の端部３０ａが絶縁部材２０の表面２０ａから突出し、その他方の端部３０ｂが絶縁部材２０の裏面２０ｂから突出するように、貫通孔２１に導電部材３０を嵌合する（工程Ｃ）。
【００６５】
以上の工程Ａ〜工程Ｄにより、図５に示す電気コネクター２００が得られる。
【００６６】
本実施形態の電気コネクターの製造方法によれば、工程Ｅにて、弾性体４０の厚み方向に切込み４５を形成するため、デバイスの形状に応じて変形することが可能な電気コネクター２００を作製することができる。
【符号の説明】
【００６７】
１０，１００，２００  電気コネクター
２０  絶縁部材
２１  貫通孔
３０  導電部材
４０  弾性体
４１  貫通孔
４５  切込み
５０  シート状部材
５１  貫通孔
５３  周辺領域
５５  切欠き
【図１】
2018147632.tif 000003
【図２】
2018147632.tif 000004
【図３】
2018147632.tif 000005
【図４】
2018147632.tif 000006
【図５】
2018147632.tif 000007
【図６】
2018147632.tif 000008